(57)【要約】【課題】導光板の全方向への移動と内部への埃の侵入を防ぐことができる液晶用バックライトを提供すること。【解決手段】矩形平板状の金属シャーシ２Ａと該金属シャーシ２Ａの周囲を囲むよう配置される矩形型枠状の金属シャーシ２Ｂとで構成される収納ケース２内に、矩形板状の導光板３とこれに重ねられるアウタレンズ４及び前記導光板３の入光面に対向配置される光源ブロック５を収容して成る液晶用バックライト１において、硬さと厚さが異なる矩形枠状の２種のクッション６Ａ，６Ｂを重合して成る２層構造のクッション材６を収納ケース２の内周に沿って配置する。又、クッション材６を構成するクッション６Ａ，６Ｂの厚さの比率ｔ１：ｔ２を６．５：３．５〜７．５：２．５とし、硬さを示す２５％圧縮荷重をクッション６Ａについては０．００６〜０．０１ｋｇ／ｃｍ２、クッション６Ｂについては０．０６〜０．１ｋｇ／ｃｍ２とする。【選択図】図４
2011171162.tif 000002
【特許請求の範囲】
【請求項１】
矩形平板状の金属シャーシＡと該金属シャーシＡの周囲を囲むよう配置される矩形型枠状の金属シャーシＢとで構成される収納ケース内に、矩形板状の導光板とこれに重ねられるアウタレンズ及び前記導光板の入光面に対向配置される光源ブロックを収容して成る液晶用バックライトにおいて、
硬さと厚さが異なる矩形枠状の２種のクッション１，２を重合して成る２層構造のクッション材を前記収納ケースの内周に沿って配置したことを特徴とする液晶用バックライト。
【請求項２】
前記クッション材を構成するクッション１，２の厚さの比率を６．５：３．５〜７．５：２．５とし、硬さを示す２５％圧縮荷重をクッション１については０．００６〜０．０１ｋｇ／ｃｍ２、クッション２については０．０６〜０．１ｋｇ／ｃｍ２としたことを特徴とする請求項１記載の液晶用バックライト。
【発明の詳細な説明】
【技術分野】
【０００１】
本発明は、エッジライト方式を採用する液晶用バックライトに関するものである。
【背景技術】
【０００２】
液晶表示装置（ＬＣＤ：Liquid Crystal Display）は、薄型、軽量で省電力であることから携帯電話やパソコン（パーソナルコンピュータ）等の画像表示装置として広く使用されているが、この液晶表示装置は自発光型でないために照明手段を必要とする。一般に液晶表示装置の照明手段としては、バックライトと称される面状照明装置が使用されており、その光源としてＬＥＤ（発光ダイオード）が使用されている。
【０００３】
ところで、バックライトの高輝度化を図るために多数のＬＥＤを使用すると、ＬＥＤからの発熱量が多くなって発光効率が低下するという問題がある。
【０００４】
そこで、放熱性の高い金属シャーシによって収納ケースを構成し、この収納ケース内に導光板とこれに重ねられるアウタレンズ及び導光板の入光面に対向配置される光源ブロックを収容してバックライトを構成することが行われている。
【０００５】
ここで、従来の液晶用バックライトの一例を図５〜図８に基づいて説明する。
【０００６】
図５は従来の液晶用バックライトの分解斜視図、図６は同液晶用バックライトの斜視図、図７は図６のＣ−Ｃ線断面図、図８は図７のＤ部拡大詳細図であり、図示の液晶用バックライト１０１は、矩形平板状の金属シャーシ１０２Ａと該金属シャーシ１０２Ａの周囲を囲むよう配置される矩形型枠状の金属シャーシ１０２Ｂとで構成される収納ケース１０２内に、矩形板状の導光板１０３とこれに重ねられるアウタレンズ１０４及び前記導光板１０３の入光面に対向配置される光源ブロック１０５を収容して構成されている。ここで、光源ブロック１０５は、不図示の複数のＬＥＤを回路基板上に直線状に配列して構成されている。
【０００７】
斯かる液晶用バックライト１０１において、導光板１０３の入光面と光源ブロック１０５のＬＥＤとの距離が変動すると、導光板１０３に入射する光量（入光率）が変動するとういう問題が発生する。このため、振動等によって導光板１０３の入光面とＬＥＤとの距離が容易に変動しないようにする必要がある。
【０００８】
そこで、導光板１０３と光源ブロック１０５とは可能な限り近接して配置されるが、導光板１０３の面積が大きい場合には、熱膨張によって該導光板１０３が変形したり、ＬＥＤが破損する等の問題が発生する。このため、導光板１０３の入光面とＬＥＤとの距離を大きく取って信頼性を高めることが考えられるが、導光板１０３の入光面とＬＥＤとの距離を大きくすると導光板１０３への入光率が低下するという問題が発生する。
【０００９】
上記問題を解決するため、特許文献１には図９に示すような構成が提案されている。
【００１０】
即ち、図９は特許文献１において提案された液晶用バックライトの平面図であり、図示の液晶用バックライト２０１においては、導光板２０３と収納ケース２０２の間にクッション材２０６，２０７が設けられており、これらのクッション材２０６，２０７によって振動等による導光板２０３の移動や熱膨張による変形が防がれるよう工夫されている。又、導光板２０３と板状光源部２０５の間にクッション材が２０７設けられているため、熱によって導光板２０３が膨張又は収縮しても、該導光板２０３の入光面とＬＥＤ２０５ａとの距離が一定に保たれるよう考慮されている。
【先行技術文献】
【特許文献】
【００１１】
【特許文献１】特開２００８−２９８９０５号公報
【発明の概要】
【発明が解決しようとする課題】
【００１２】
しかしながら、図５〜図８に示す従来の液晶用バックライト１０１においては、図８に詳細に示すように、金属シャーシ１０２Ａ，１０２Ｂ同士の接合部の隙間δから埃が侵入し、発光ムラや輝度ムラ等が発生して発光特性への悪影響が懸念される。
【００１３】
又、図９に示す特許文献１おいて提案された液晶用バックライト２０１においては、クッション材２０６，２０７が導光板２０３と板状光源部２０５とが対向する方向（図９の上下方向）にしか設けられていないため、その方向の導光板２０３の移動しか防ぐことができず、それと直交する方向（図９の左右方向）及び上下方向（図９の紙面垂直方向）の導光板２０３の移動を防ぐことができないという問題がある。更に、クッション材２０６，２０７が設けられていない箇所の導光板２０３と収納ケース２０２の隙間δから埃が侵入する可能性があるという問題もある。
【００１４】
本発明は上記問題に鑑みてなされたもので、その目的とする処は、導光板の全方向への移動と内部への埃の侵入を防ぐことができる液晶用バックライトを提供することにある。
【課題を解決するための手段】
【００１５】
上記目的を達成するため、請求項１記載の発明は、矩形平板状の金属シャーシＡと該金属シャーシＡの周囲を囲むよう配置される矩形型枠状の金属シャーシＢとで構成される収納ケース内に、矩形板状の導光板とこれに重ねられるアウタレンズ及び前記導光板の入光面に対向配置される光源ブロックを収容して成る液晶用バックライトにおいて、硬さと厚さが異なる矩形枠状の２種のクッション１，２を重合して成る２層構造のクッション材を前記収納ケースの内周に沿って配置したことを特徴とする。
【００１６】
請求項２記載の発明は、請求項１記載の発明において、前記クッション材を構成するクッション１，２の厚さの比率を６．５：３．５〜７．５：２．５とし、硬さを示す２５％圧縮荷重をクッション１については０．００６〜０．０１ｋｇ／ｃｍ２、クッション２については０．０６〜０．１ｋｇ／ｃｍ２としたことを特徴とする。
【発明の効果】
【００１７】
発明によれば、硬さと厚さが異なる矩形枠状の２種のクッション１，２を重合して成る２層構造のクッション材を収納ケースの内周に沿って配置したため、硬くて剛性の高い方のクッション２によって導光板の全周が保持され、柔らかくて変形し易い方のクッション１が金属シャーシＡによって押し潰されて導光板を上下方向において金属シャーシＢ側へと押圧するため、導光板は全方向の移動が防がれ、該導光版の変形や破損が防がれるとともに、光源ブロックのＬＥＤと導光板の入光面との距離が一定に保たれて導光板への高い入光率が維持される。
【００１８】
又、柔らかくて変形し易い方のクッション１が金属シャーシＡ，Ｂの接合部の隙間の全てを確実に埋めるため、隙間から収納ケース内への埃の侵入が防がれ、発光ムラや輝度ムラ等が発生することがなく、良好な発光特性が安定的に得られる。
【図面の簡単な説明】
【００１９】
【図１】本発明に係る液晶用バックライトの分解斜視図である。
【図２】本発明に係る液晶用バックライトの斜視図である。
【図３】図２のＡ−Ａ線断面図である。
【図４】図３のＢ部拡大詳細図である。
【図５】従来の液晶用バックライトの分解斜視図である。
【図６】従来の液晶用バックライトの斜視図である。
【図７】図６のＣ−Ｃ線断面図である。
【図８】図７のＤ部拡大詳細図である。
【図９】特許文献１において提案された液晶用バックライトの平面図である。
【発明を実施するための形態】
【００２０】
以下に本発明の実施の形態を添付図面に基づいて説明する。
【００２１】
図１は本発明に係る液晶用バックライトの分解斜視図、図２は同液晶用バックライトの斜視図、図３は図２のＡ−Ａ線断面図、図４は図３のＢ部拡大詳細図である。
【００２２】
本発明に係る液晶用バックライト１は、エッジライト方式を採用する面状照明装置であって、矩形平板状の金属シャーシ２Ａと該金属シャーシ２Ａの周囲を囲むよう配置される矩形型枠状の金属シャーシ２Ｂとを接合一体化して構成される収納ケース２を備えている。そして、この収納ケース２内には、アクリル樹脂等の透明材料から成る矩形板状の導光板３と、該導光板３の光出射面（図の下面）に重ねられる透明なアウタレンズ４と、導光板３の短辺側の薄い端面である入光面に所定の距離を設けて対向配置される光源ブロック５が収容されている。ここで、光源ブロック５は、不図示の複数のＬＥＤを回路基板上に直線状に配列して構成されている。
【００２３】
而して、本実施の形態では、前記収納ケース２の内周に沿って、より詳細には金属シャーシ２Ｂの内側全周に亘って矩形枠状のクッション材６が配置されている。ここで、クッション材６は、硬さと厚さが異なる矩形枠状の２種のクッション６Ａ，６Ｂを重合して２層構造として構成されている。クッション材６を構成する２種のクッション６Ａ，６Ｂは、それぞれ異なる機能を有している。具体的には、厚さの厚いクッション６Ｂは、導光板３を収納ケース２内の中央に精度良く位置決めして固定する機能を有しており、他方のクッション６Ａよりも硬くて変形しにくい。又、厚さの薄い他方のクッション６Ａは、金属シャーシ２Ａによって押し潰されて導光板３を金属シャーシ２Ｂ側に押圧するとともに、金属シャーシ２Ａ，２Ｂの接合部の隙間δ（図４参照）を埋める機能を有しており、クッション６Ｂよりも柔らかくて変形し易い性質を有している。
【００２４】
本実施の形態では、クッション６Ａ，６Ｂはスポンジを主な材料とする弾性体であって、クッション６Ｂの厚さｔ１とクッション６Ａの厚さｔ２との比率ｔ１：ｔ２は、６．５：３．５〜７．５：２．５に設定されている。又、硬さ（剛性）については、硬さを示す２５％圧縮荷重（２５％圧縮変形させるに要する荷重）をクッション６Ａについては０．００６〜０．０１ｋｇ／ｃｍ２、クッション６Ｂについては０．０６〜０．１ｋｇ／ｃｍ２としている。
【００２５】
尚、本実施の形態では、矩形枠状のクッション材６を一体に構成したが、四辺を別々のもので構成しても良い。
【００２６】
而して、以上のように構成された液晶用バックライト１においては、導光板３の入光面に対向配置された光源ブロック５に設けられた複数のＬＥＤから横方向に向かって出射された光束は、導光板３の入光面から該導光板３の内部に導入され、金属シャーシ２Ａの内面で反射して導光板３の出射面から出射され、アウタレンズ４を通過して拡散されることによって均一な照明光となり、不図示の液晶表示器をその背面側から照明する。
【００２７】
以上において、本発明に係る液晶用バックライト１によれば、硬さと厚さが異なる矩形枠状の２種のクッション６Ａ，６Ｂを重合して成る２層構造のクッション材６を収納ケースの内周に沿って配置したため、硬くて剛性の高いクッション６Ｂによって導光板３の全周が保持され、柔らかくて変形し易いクッション６Ａが金属シャーシ２Ａによって押し潰されて導光板３を上下方向において金属シャーシ２Ｂ側へと押圧するため、導光板３は前後、左右及び上下の全方向の移動が防がれ、該導光版３の変形や破損が防がれるとともに、光源ブロック５のＬＥＤと導光板３の入光面との距離が一定に保たれて導光板３への高い入光率が維持される。
【００２８】
又、柔らかくて変形し易いクッション６Ａが金属シャーシ２Ａ，２Ｂの接合部の隙間δの全てを確実に埋めるため、隙間δから収納ケース２内への埃の侵入が防がれ、発光ムラや輝度ムラ等が発生することがなく、良好な発光特性が安定的に得られるという効果が得られる。
【符号の説明】
【００２９】
１          液晶用バックライト
２          収納ケース
２Ａ        金属シャーシＡ
２Ｂ        金属シャーシＢ
３          導光板
４          アウタレンズ
５          光源ブロック
６          クッション材
６Ａ        クッション１
６Ｂ        クッション２
ｔ１，ｔ２  クッションの厚さ
δ          金属シャーシの隙間
【図１】
2011171162.tif 000003
【図２】
2011171162.tif 000004
【図３】
2011171162.tif 000005
【図４】
2011171162.tif 000006
【図５】
2011171162.tif 000007
【図６】
2011171162.tif 000008
【図７】
2011171162.tif 000009
【図８】
2011171162.tif 000010
【図９】
2011171162.tif 000011